(57)【要約】      （修正有）【課題】複数個のＬＥＤライトバーが均等な輝度を生じるＬＥＤバックライト光源のドライブモジュールを提供する。【解決手段】主電源と、主電源と導通して第１駆動信号を出力する第１種絶縁変圧ユニットと、第２種絶縁変圧ユニットと、複数個の整流フィルタ回路とを含む。第２種絶縁変圧ユニットは、複数個の第２絶縁変圧回路を有し、その各々の一次巻線を相互に直列にし、第１種絶縁変圧ユニットの第１二次巻線と並列にすると共に、第１駆動信号に基づき第２絶縁変圧回路の各々の二次巻線において、第２駆動信号を生じる。整流フィルタ回路は、二次巻線と導通して、第２駆動信号を整流してフィルタリングすると共に、複数個のＬＥＤライトバーを駆動する。【選択図】図５
0003162409.tif 000002
【実用新案登録請求の範囲】
【請求項１】
複数個のＬＥＤライトバーを駆動するためのＬＥＤバックライト光源のドライブモジュールであって、前記ドライブモジュールは、
電源信号を生じる主電源と、
前記主電源と導通して前記電源信号を受信すると共に、これにより第１駆動信号を出力する第１種絶縁変圧ユニットと、
複数個の第２絶縁変圧回路を有し、該複数個の第２絶縁変圧回路の各々の一次巻線を相互に直列にし、前記第１種絶縁変圧ユニットの第１二次巻線と並列にすると共に、前記第１駆動信号に基づき前記複数個の第２絶縁変圧回路の各々の二次巻線において、対応する第２駆動信号を生じる第２種絶縁変圧ユニットと、
それぞれ対応する前記第２絶縁変圧回路の前記二次巻線と導通して、対応する前記第２駆動信号を整流してフィルタリングすると共に、各々対応して導通する前記複数個のＬＥＤライトバーを駆動する複数個の整流フィルタ回路と、
を含むことを特徴とするＬＥＤバックライト光源のドライブモジュール。
【請求項２】
前記複数個の第２駆動信号は、それぞれ同様の電流値を有し、対応して導通する前記複数個のＬＥＤライトバーが均等な輝度を生じることを特徴とする請求項１に記載のドライブモジュール。
【請求項３】
前記第１種絶縁変圧ユニットは複数個の第１絶縁変圧回路で構成され、各々の一次巻線は相互に直列にして、各々が対応する二次巻線において同様の電流値を有するそれぞれ対応する前記第１駆動信号を誘導することを特徴とする請求項１に記載のドライブモジュール。
【請求項４】
複数個のＬＥＤライトバーを駆動するためのＬＥＤバックライト光源のドライブモジュールであって、前記ドライブモジュールは、
電源信号を生じる主電源と、
前記主電源と導通して前記電源信号を受信すると共に、第１二次巻線により第１駆動信号を誘導する第１種絶縁変圧ユニットと、
複数個の第２絶縁変圧回路を有し、前記第１種絶縁変圧ユニットの前記第１二次巻線と並列にし、前記第１駆動信号に基づき、前記複数個の第２絶縁変圧回路の各々の二次巻線において、対応する第２駆動信号を生じる第２種絶縁変圧ユニットと、
それぞれ対応する前記第２絶縁変圧回路の前記二次巻線と導通して、対応する前記第２駆動信号を整流してフィルタリングすると共に、各々対応して導通する前記複数個のＬＥＤライトバーの一側に印加する複数個の整流フィルタ回路と、
前記第１種絶縁変圧ユニットの第２二次巻線の負電圧端によってベース電圧信号を誘導すると共に、前記複数個のＬＥＤライトバーの他側と導通して、前記第２駆動信号が前記複数個のＬＥＤライトバーを駆動するベース電圧回路と、
を含むことを特徴とするＬＥＤバックライト光源のドライブモジュール。
【請求項５】
前記複数個のＬＥＤライトバーは各々導通電圧の誤差値を有し、前記第１駆動信号と前記ベース電圧信号の電圧差は前記導通電圧の誤差値の１．５ないし２．５倍であることを特徴とする請求項４に記載のドライブモジュール。
【請求項６】
前記ベース電圧信号は負電圧レベルを有することを特徴とする請求項４に記載のドライブモジュール。
【請求項７】
複数個のＬＥＤライトバーを駆動するためのＬＥＤバックライト光源のドライブモジュールであって、前記ドライブモジュールは、
電源信号を生じる主電源と、
前記主電源と導通して前記電源信号を受信すると共に、これにより第１駆動信号を出力する第１種絶縁変圧ユニットと、
複数個の第２絶縁変圧回路を有し、該複数個の第２絶縁変圧回路の各々の一次巻線を相互に直列にし、前記第１種絶縁変圧ユニットの第１二次巻線と並列にすると共に、前記第１駆動信号に基づき、前記複数個の第２絶縁変圧回路の各々の二次巻線において、対応する第２駆動信号を生じる第２種絶縁変圧ユニットと、
それぞれ対応する前記第２絶縁変圧回路の前記二次巻線と導通して、対応する前記第２駆動信号を整流してフィルタリングすると共に、各々対応して導通する前記複数個のＬＥＤライトバーの一側に印加する複数個の整流フィルタ回路と、
前記第１種絶縁変圧ユニットの第２二次巻線の負電圧端によってベース電圧信号を誘導すると共に、前記複数個のＬＥＤライトバーの他側と導通して、前記第２駆動信号が前記複数個のＬＥＤライトバーを駆動するベース電圧回路と、
を含むことを特徴とするＬＥＤバックライト光源のドライブモジュール。
【請求項８】
前記複数個の第２駆動信号は、それぞれ同様の電流値を有し、前記複数個のＬＥＤライトバーが均等な輝度を生じることを特徴とする請求項７に記載のドライブモジュール。
【請求項９】
前記第１種絶縁変圧ユニットは複数個の第１絶縁変圧回路で構成され、各々の一次巻線は相互に直列にして、各々が対応する前記第１二次巻線において同様の電流値を有するそれぞれに対応する前記第１駆動信号を誘導することを特徴とする請求項７に記載のドライブモジュール。
【請求項１０】
前記複数個のＬＥＤライトバーは各々導通電圧の誤差値を有し、前記第２駆動信号と前記ベース電圧信号の電圧差は前記導通電圧の誤差値の１．５ないし２．５倍であることを特徴とする請求項７に記載のドライブモジュール。
【請求項１１】
前記ベース電圧信号は負電圧レベルを有することを特徴とする請求項７に記載のドライブモジュール。
【考案の詳細な説明】
【技術分野】
【０００１】
本考案は、ＬＥＤバックライト光源のドライブモジュールに関し、より詳しくは均等な電流を出力するＬＥＤバックライト光源のドライブモジュールに関する。
【背景技術】
【０００２】
ビッグサイズのＬＣＤ表示装置で使用されるバックライト光源にはＬＥＤ光源が次第に導入され、そのバックライト光源とされる方法等が幅広く知られている。しかもＬＥＤ光源は水銀等の重金属を含まないことから、環境保全や省エネにもなっている。統計によると、２００９年世界におけるビッグサイズのＬＣＤ表示装置で使用されたバックライト光源のうち、ＬＥＤバックライト光源の普及率は約３％であったが、２０１０年ではさらに２０％に上昇した。
【０００３】
現在ＬＥＤバックライトの光源は、大体直下型方式とサイドライト方式に分けられる。直下型方式の長所は映像と組合せて局所調光して、ベストな省エネ、非常に高度なダイナミックコントラスト及び良好な表示色域等にある一方で、多くのＬＥＤと複雑なドライブモジュールを必要とする。これに対して、サイドライト方式の長所は薄型化されたＬＣＤ表示装置を製作することができ、ＬＥＤが少なく簡単なドライブモジュールでよいことにあるので、コストが低い一方で、２Ｄの局所調光ができず、しかもそのダイナミックコントラストも芳しくない。
【０００４】
従来のサイドライト方式であるＬＥＤバックライト光源のドライブモジュールは、大体図１に示すように直流−直流変換回路で複数個のＬＥＤライトバー（ＬＥＤ  ｌｉｇｈｔ  ｂａｒ）に対して電流が均等なドライブ機能を果たすか、或いは図２に示すような線形定電流回路で複数個のＬＥＤライトバーに対する電流が均等なドライブ機能を果たすかに分けられる。
【０００５】
図１に示すように、従来のＬＥＤバックライト光源のドライブモジュール１０は電源回路１９の絶縁変圧回路１２を利用して主電源１１の主電源信号を１回電圧変換した上で、整流フィルタ回路１３の整流とフィルタリングによって、電源駆動信号を生じる。そして電源駆動信号をそれぞれ複数個の直流−直流変換回路１６によって２回電圧変換を行って、複数個のＬＥＤライトバー１７を発光させるように適合させ、最後にパルス幅変調調光及びフィードバック電流検知回路１８によって発光輝度を調整してフィードバック電流信号を生じる。フィードバック回路１４とパルス幅変調制御回路１５によりフィードバック制御を行って、電源回路１９の電源駆動信号を安定させる。
【０００６】
直流−直流変換回路１６を使用して複数個のＬＥＤライトバー（ＬＥＤ  ｌｉｇｈｔ  ｂａｒ）のドライブモジュール１０を駆動すると、ＬＥＤライトバー１７の数量が増加すると共に、同じ数量の直流−直流変換回路１６をも増やす必要があり、コストが上昇し回路板の使用面積が増えることとなる。しかも、直流−直流変換回路１６の操作周波数が主電源１１と同時でなければ、障害問題を生じ易い。また、直流−直流変換回路１６は余計な電磁波放射線障害をも生じる。
【０００７】
図２に示すように、従来のＬＥＤバックライト光源のドライブモジュール２０は図１に示すようなドライブモジュール１０と似た構造を有し、相違点は線形定電流及びパルス幅変調調光回路２１を利用して、直流−直流変換回路１６並びにパルス幅変調調光及びフィードバック電流の検知回路１８に代えることにある。
【０００８】
さらに、このドライブモジュール２０はＬＥＤライトバー１７の個別の相違が大きい場合、線形定電流及びパルス幅変調調光回路２１を採用したことによる予定外のロスが大きくなる。ＬＥＤライトバー１７の直列にするＬＥＤダイスの数量が増加すると、各線形定電流及びパルス幅変調調光回路２１が消耗する電力もこれにつれて増加すると共に、大量の廃熱を生じて、余計な放熱片が必要となって、放熱しなければ正常な作動が維持できない。このため、放熱片が最良の放熱効果を発揮するために、ＬＥＤライトバー１７の直列にするＬＥＤの数量には上限が設けられており、線形定電流及びパルス幅変調調光回路２１が過熱することによって焼損したり効果を喪失したりしないようにする。
【考案の概要】
【考案が解決しようとする課題】
【０００９】
しかしながら、前述した従来の技術では、余計な電磁波放射線障害を生じたり、過熱により線形定電流及びパルス幅変調調光回路を焼損したりするといった問題があった。
【００１０】
本考案は、このような従来の問題に鑑みてなされたものである。上記課題解決のため本考案は、複数個の第２絶縁変圧回路の一次巻線を相互に直列にすることにより電流を均等にするＬＥＤバックライト光源のドライブモジュールを提供することを主目的とする。
【課題を解決するための手段】
【００１１】
本考案によれば複数個の第２絶縁変圧回路の一次巻線を相互に直列にすることにより電流を均等にすることを特徴とするＬＥＤバックライト光源のドライブモジュールが提供される。
【００１２】
本考案によればベース電圧回路を利用して、負電圧レベルを有するベース電圧を提供して、第２絶縁変圧回路から生じる第２駆動信号の正電圧レベルを下げることを特徴とするＬＥＤバックライト光源ドライブモジュールが提供される。
【００１３】
本考案によれば、複数個のＬＥＤライトバーを駆動することができ、前記ドライブモジュールは、電源信号を生じる主電源と、前記主電源と導通して前記電源信号を受信すると共に、これにより第１駆動信号を出力する第１種絶縁変圧ユニットと、複数個の第２絶縁変圧回路を有し、該複数個の第２絶縁変圧回路の各々の一次巻線を相互に直列にし、前記第１種絶縁変圧ユニットの第１二次巻線と並列にすると共に、前記第１駆動信号に基づき前記複数個の第２絶縁変圧回路の各々の二次巻線において、対応する第２駆動信号を生じる第２種絶縁変圧ユニットと、それぞれ対応する前記第２絶縁変圧回路の前記二次巻線と導通して、対応する前記第２駆動信号を整流してフィルタリングすると共に、各々対応して導通する前記複数個のＬＥＤライトバーを駆動する複数個の整流フィルタ回路とを含むことを特徴とするＬＥＤバックライト光源のドライブモジュールが提供される。
【００１４】
本考案によれば、複数個のＬＥＤライトバーを駆動することができ、前記ドライブモジュールは、電源信号を生じる主電源と、前記主電源と導通して前記電源信号を受信すると共に、第１二次巻線により第１駆動信号を誘導する第１種絶縁変圧ユニットと、複数個の第２絶縁変圧回路を有し、前記第１種絶縁変圧ユニットの前記第１二次巻線と並列にして、前記第１駆動信号に基づき前記複数個の第２絶縁変圧回路の各々の二次巻線において、対応する第２駆動信号を生じる第２種絶縁変圧ユニットと、それぞれ対応する前記第２絶縁変圧回路の前記二次巻線と導通して、対応する前記第２駆動信号を整流してフィルタリングすると共に、各々対応して導通する前記複数個のＬＥＤライトバーの一側に印加する複数個の整流フィルタ回路と、前記第１種絶縁変圧ユニットの第２二次巻線の負電圧端によってベース電圧信号を誘導すると共に、前記複数個のＬＥＤライトバーの他側と導通して、前記第１駆動信号が前記複数個のＬＥＤライトバーを駆動するベース電圧回路とを含むことを特徴とするＬＥＤバックライト光源のドライブモジュールが提供される。
【００１５】
本考案によれば複数個のＬＥＤライトバーを駆動することができ、前記ドライブモジュールは、電源信号を生じる主電源と、前記主電源と導通して前記電源信号を受信すると共に、これにより第１駆動信号を出力する第１種絶縁変圧ユニットと、複数個の第２絶縁変圧回路を有し、該複数個の第２絶縁変圧回路の各々の一次巻線を相互に直列にし、前記第１種絶縁変圧ユニットの第１二次巻線と並列にすると共に、前記第１駆動信号に基づき前記複数個の第２絶縁変圧回路の各々の二次巻線において、対応する第２駆動信号を生じる第２種絶縁変圧ユニットと、それぞれ対応する前記第２絶縁変圧回路の前記二次巻線と導通して、対応する前記第２駆動信号を整流してフィルタリングすると共に、各々対応して導通する前記複数個のＬＥＤライトバーの一側に印加する複数個の整流フィルタ回路と、前記第１種絶縁変圧ユニットの第２二次巻線の負電圧端によってベース電圧信号を誘導すると共に、前記複数個のＬＥＤライトバーの他側と導通して、前記第２駆動信号が前記複数個のＬＥＤライトバーを駆動するベース電圧回路とを含むことを特徴とするＬＥＤバックライト光源のドライブモジュールが提供される。
【考案の効果】
【００１６】
本考案はＬＥＤバックライト光源のドライブモジュールを提供するが、その長所は次の通りである。
１．従来の回路構造に比べて一層高い電源変換効率を有する。
２．回路の設計コストを抑制できる。
３．変圧回路を採用して電流のバランスを取ることにより、余計な周波数がＥＭＩ放射線障害を引き起こすという問題がない。
４．余計な放熱片が不要である。
５．回路の複雑さとＬＥＤライトバー内のＬＥＤダイスの数量とは無関係である。
６．ＬＥＤライトバーの電流を均等にする性能が極めて優れている。
【図面の簡単な説明】
【００１７】
【図１】直流−直流変換回路を利用したＬＥＤバックライト光源のドライブモジュールを示した概略図である。
【図２】線形定電流回路を利用したＬＥＤバックライト光源のドライブモジュールを示した概略図である。
【図３】本考案に係る第１実施形態に基づくＬＥＤバックライト光源のドライブモジュールを示した概略図である。
【図４】本考案に係る第１実施形態に基づくＬＥＤバックライト光源のドライブモジュールを示した回路図である。
【図５】本考案に係る第２実施形態に基づくＬＥＤバックライト光源のドライブモジュールを示した概略図である。
【図６】本考案に係る第２実施形態に基づくＬＥＤバックライト光源のドライブモジュールを示した回路図である。
【図７】本考案に係る第３実施形態に基づくＬＥＤバックライト光源のドライブモジュールを示した概略図である。
【図８】本考案に係る第３実施形態に基づくＬＥＤバックライト光源のドライブモジュールを示した回路図である。
【図９】本考案に係る第４実施形態に基づきＬＬＣ共振電源構造を利用したＬＥＤバックライト光源のドライブモジュールを示した回路図である。
【考案を実施するための形態】
【００１８】
［第１実施形態］
以下、本考案を実施するための形態について、詳細に説明する。なお、本考案は、以下に説明する実施形態に限定されるものではない。本考案の第１実施形態に係るＬＥＤバックライト光源のドライブモジュール３０は、図３に示すように、主電源１１、第１種絶縁変圧ユニット、第２種絶縁変圧ユニット、複数個の整流フィルタ回路３３、複数個のＬＥＤライトバー３４、パルス幅変調調光及びフィードバック電流検知回路３５、一つのフィードバック回路３６及一つのパルス幅変調制御回路１５を有する。このうち、第１種絶縁変圧ユニットは第１絶縁変圧回路３１で、第２種絶縁変圧ユニットは複数個の第２絶縁変圧回路３２である。電源回路３８は主電源１１、第１絶縁変圧回路３１、フィードバック回路３６及び複数個のパルス幅変調制御回路１５からなり、主電源１１は高圧の直流電源信号を生じ、若しくは受信する。当業者であれば、電源回路３８はフライバック方式又は他の従来の電源回路の構造設計によっても達成することができる。
【００１９】
電源回路３８の主電源１１は電源信号を生じ、第１絶縁変圧回路３１によって電圧変換が１回行われて第１駆動信号を生じる。複数個の第２絶縁変圧回路３２によって第１駆動信号に電圧変換を２回行い、対応する整流フィルタ回路３３の整流及びフィルタリングによって、複数個の第２駆動信号とフィードバック電圧信号を生じる。複数個の第２駆動信号により対応するＬＥＤライトバー３４を発光させると共に、複数個のパルス幅変調調光及びフィードバック電流を検知回路３５によって、発光輝度を調整してフィードバック電流信号を生じる。最後に、フィードバック回路３６がフィードバック電流信号及びフィードバック電圧信号を検知し、パルス幅変調制御回路１５がフィードバック制御を行って電源回路３８の第１駆動信号の出力電圧を安定させる。
【００２０】
ＬＥＤライトバー３４は複数個のＬＥＤダイスを直列又は直並列にしたものであって、各々対応する第２絶縁変圧器３２、整流フィルタ回路３３及びパルス幅変調調光及びフィードバック電流の検知回路３５に接続される。さらに、複数個の第２絶縁変圧回路３２は相互に直列に接続され、第１絶縁変圧回路３１の二次巻線と並列にする。このようにして、複数個の第２絶縁変圧回路３２は同様の電流値の複数個の第２駆動信号を誘導して、電流を均等にする目的を達することができる。
【００２１】
主電源１１の主電源信号は、第１絶縁変圧回路３１により電圧調整を１回行って、低い電圧値の第１駆動信号を生じる。第１種絶縁変圧ユニットと第２種絶縁変圧ユニットは高い電源変換効率を有していることから、その電源変換のパワーロスは低い。また第１駆動信号は複数個の第２絶縁変圧回路３２によって電圧変換が行われると、適度な電圧と均等な電流を有する第２電圧信号を生じる。第１駆動信号は第１種絶縁変圧ユニットの電圧変換が行われていることから、この段階で第２種絶縁変圧ユニットは低耐圧の変圧巻線を使用してコストを抑えることができると共に、その電圧変換の幅が小さいので、電源変換のパワーロスも抑えることができる。以上述べたように、ドライブモジュール３０は非常に良好な電源変換効率を有しており、余計な放熱片を使用せずにコストが抑制できる。
【００２２】
また、複数個の第２絶縁電圧変換回路３２を互いに直列にすると、第２駆動信号が電流を均等にする効果を発揮して、複数個のＬＥＤライトバー３４が均等な発光輝度を有する。さらに、このドライブモジュール３０を応用して、更に多くのＬＥＤライトバー３４や更に多くのＬＥＤダイスを有するＬＥＤライトバー３４を駆動して、複雑な回路設計を使用することなくコストを抑制することができる。
【００２３】
図４は図３のドライブモジュール３０を実際に応用した回路図である。第１絶縁変圧回路３１と複数個の第２絶縁変圧回路３２は各々巻線を有し、複数個の第２絶縁変圧回路３２の各々の一次巻線は相互に直列にすると共に、複数個の第２絶縁変圧回路３２と第１絶縁変圧回路３１の二次巻線は並列にする。このようにして、第１絶縁変圧回路３１の二次巻線が誘導する電流は、順次複数個の第２絶縁変圧回路３２の一次巻線を流れて、複数個の第２絶縁変圧回路３２の二次巻線において同様の電流値の第２駆動信号を誘導し、電流を均等にする目的を達して、複数個のＬＥＤライトバー３４が均等な発光輝度を有する。
【００２４】
また、パルス幅変調調光及びフィードバック電流の検知回路３５は電流検知回路ＲＳ１によりフィードバック電流信号を検知して、フィードバック回路３６にフィードバックする。これと共に、複数個の整流フィルタ回路３３において、対応するＬＥＤライトバー３４のフィードバック電圧信号をそれぞれ取出して、フィードバック回路３６にフィードバックし、パルス幅変調回路１５によって、電源回路３８から生じる第１駆動信号を調整し安定させる。
【００２５】
実際に応用する場合、ＬＥＤライトバー３４の数量及びこれに対応する第２絶縁変圧器３２、整流フィルタ回路３３を自由に調整して、必要なＬＥＤライトバー３４の数量を増減することができる。
【００２６】
［第２実施形態］
図５は、本考案に係る第２実施形態に基づくＬＥＤバックライト光源のベース電圧（Ｂａｓｅ  Ｖｏｌｔａｇｅ）を有するドライブモジュール５０である。第１実施形態のドライブモジュール３０との相違点は、第１種絶縁変圧ユニットの第１絶縁変圧回路５１が第１二次巻線と第２二次巻線を有し、しかもベース電圧回路５２は第１絶縁変圧回路５１の第２二次巻線によって、ベース電圧信号を生じると共に、このベース電圧信号を複数個のＬＥＤライトバー３４にカップリングして、複数個のＬＥＤライトバー３４が充分な電圧差を生じることにある。ベース電圧信号は負電圧レベルを有する電圧信号であるため、第２絶縁変圧回路３２のプラスの第２駆動信号がＬＥＤライトバー３４に印加する電圧差を下げて、第２絶縁変圧回路３２の電力容量を抑えることにより、この第２絶縁変圧回路３２のコストを抑制することができる。
【００２７】
ＬＥＤライトバー３４は複数個のＬＥＤダイスを相互に直列にしたもので、ＬＥＤは標準の導通電圧を有し（一般の白光ＬＥＤの規格電流における導通電圧は約３．３Ｖである）、さらにこの導通電圧の分布は約±１０％である。従って、本考案ではベース電圧概念を取り入れ、ＬＥＤライトバー３４の総電圧からベース電圧を控除した後の電圧差が１．５ないし２．５倍のＬＥＤの導通電圧の誤差値に制御されさえすれば、電流を均等にする目的を達することができる。また、ベース電圧が負電圧レベルであることから、第２種絶縁変圧ユニットが出力する第２駆動信号の電圧の正レベルが低下し、第２種絶縁変圧ユニットの電力容量が大幅に減少するので、第２種絶縁変圧ユニットのサイズを大幅に縮小して、コストを抑制しＰＣＢ回路板の使用面積を縮小することができる。こうして、良好な電源変換効率を有する低コストのＬＥＤバックライトのドライブモジュールを構成することができる。
【００２８】
図６は、図５におけるドライブモジュール５０を実際に応用した回路図である。第１絶縁変圧回路５１は第１二次巻線と第２二次巻線の変圧回路を有する。複数個の第２絶縁変圧回路３２の一次巻線は直列で接続され、複数個の第２絶縁変圧回路３２と第１絶縁変圧回路５１の第１二次巻線は並列にする。
【００２９】
ベース電圧回路５２は第１絶縁変圧回路５１の第２二次巻線の負電圧端でベース電圧信号を誘導する。また、このベース電圧信号を複数個のＬＥＤライトバー３４にカップリングして、複数個のＬＥＤライトバー３４に印加する電圧の大部分をこのベース電圧信号が提供する。つまり、第２絶縁変圧回路３２の第２駆動信号がＬＥＤライトバー３４の一側に印加され、ベース電圧回路５２のベース電圧信号がＬＥＤライトバー３４の他側に印加されると、第２駆動信号とベース電圧信号によりＬＥＤライトバー３４に適合して駆動させる電圧差を生じて、第２駆動信号の正電圧レベルを下げることができる。
【００３０】
ベース電圧回路５２によって、第２絶縁変圧回路３２の電力容量を大幅に下げることができると共に、その変換ロスを減らすこともできることから、第２変圧回路３２のコストを抑制し、ドライブモジュール５０が非常に良好な電源変換効率を有することができる。
【００３１】
当業者は、複数個の第２変圧回路３２の直列及びベース電圧回路５２をそれぞれ異なる実施形態で実施して、異なる目的や効果を達成することもできる。
【００３２】
［第３実施形態］
図７と図８は、本考案に係る第３実施形態における２つの第１絶縁変圧回路５１を有するドライブモジュール７０とそれを実際に応用した回路の概略図である。本考案に係る第２実施形態に基づいて、第１種絶縁変圧ユニットの第１絶縁変圧回路５１の数量を調整して、対応する数量のＬＥＤライトバー３４を組合せることができる。本実施形態は２つの第１絶縁変圧回路５１の一次巻線を相互に直列にすることにより、第１絶縁変圧回路５１の対応する複数個の第２絶縁変圧回路３２の各々の一次巻線も相互に直列にする。２つの第１絶縁変圧回路５１の一次巻線を直列にすることにより、異なる第１絶縁変圧回路５１の第１二次巻線が同様の電流値を有する複数個の第１駆動信号を誘導し、さらに第２絶縁変圧回路３２の一次巻線を直列にすることで、第２絶縁変圧回路３２の二次巻線が同様の又は同様の電流値を有する複数個の第２駆動信号を誘導して、電流を均等にする目的を達すると共に、複数個のＬＥＤライトバー３４が均等な輝度を生じる。
【００３３】
本実施形態において、２つのベース電圧回路５２はそれぞれ２つの第１絶縁変圧回路５１の第２二次巻線の負電圧端によってベース電圧信号を誘導して、第２駆動信号の正電圧レベルを下げる。こうして、良好な電源変換効率を有する低コストのＬＥＤバックライトの駆動装置を構成する。
【００３４】
［第４実施形態］
図９は本考案に係る第４実施形態であり、ＬＬＣ共振電源構造を利用したドライブモジュール９０は、ＬＥＤライトバー３４を作動する具体的な実施形態に用いる。本実施方法では、第２実施形態のような複数個の第２絶縁変圧回路３２の一次巻線を相互に直列にして、電流を均等にする目的を達する。ベース電圧回路９２はベース電圧信号を提供して、ＬＥＤライトバー３４に十分な電圧差を生じる。また、ベース電圧回路９２でベース電圧信号を生じて、第２駆動信号の正電圧レベルを下げる。このため、本考案に係る実施形態は従来のどの様な電源構造でも構成することができるので、幅広く応用することが可能である。
【００３５】
上述の実施例は本考案の技術思想及び特徴を説明するためのものにすぎず、当該技術分野を熟知する者に本考案の内容を理解させると共にこれをもって実施させることを目的とし、本考案の特許範囲を限定するものではない。従って、本考案の精神を逸脱せずに行う各種の同様の効果をもつ改良又は変更は、後述の請求項に含まれるものとする。
【符号の説明】
【００３６】
１０、２０、３０、５０、７０、９０  ドライブモジュール
１１  主電源
１２  絶縁変圧回路
１３、３３、９３  整流フィルタ回路
１４、３６  フィードバック回路
１５  パルス幅変調制御回路
１６  直流−直流変換回路
１７、３４  ＬＥＤライトバー
１８、３５  パルス幅変調調光及びフィードバック電流の検知回路
１９、３８  電源回路
２１  線形定電流及びパルス幅変調調光回路
３１、５１、９１  第１絶縁変圧回路
３２  第２絶縁変圧回路
５２、９２  ベース電圧回路
【図１】
0003162409.tif 000003
【図２】
0003162409.tif 000004
【図３】
0003162409.tif 000005
【図４】
0003162409.tif 000006
【図５】
0003162409.tif 000007
【図６】
0003162409.tif 000008
【図７】
0003162409.tif 000009
【図８】
0003162409.tif 000010
【図９】
0003162409.tif 000011
【手続補正書】
【提出日】平成22年7月16日(2010.7.16)
【手続補正１】
【補正対象書類名】実用新案登録請求の範囲
【補正対象項目名】全文
【補正方法】変更
【補正の内容】
【実用新案登録請求の範囲】
【請求項１】
複数個のＬＥＤライトバーを駆動するためのＬＥＤバックライト光源のドライブモジュールであって、前記ドライブモジュールは、
電源信号を生じる主電源と、
前記主電源と導通して前記電源信号を受信すると共に、これにより第１駆動信号を出力する第１種絶縁変圧ユニットと、
複数個の第２絶縁変圧回路を有し、該複数個の第２絶縁変圧回路の各々の一次巻線を相互に直列にし、前記第１種絶縁変圧ユニットの第１二次巻線と並列にすると共に、前記第１駆動信号に基づき前記複数個の第２絶縁変圧回路の各々の二次巻線において、対応する第２駆動信号を生じる第２種絶縁変圧ユニットと、
それぞれ対応する前記第２絶縁変圧回路の前記二次巻線と導通して、対応する前記第２駆動信号を整流してフィルタリングすると共に、各々対応して導通する前記複数個のＬＥＤライトバーを駆動する複数個の整流フィルタ回路と、
を含むことを特徴とするＬＥＤバックライト光源のドライブモジュール。
【請求項２】
前記複数個の第２駆動信号は、それぞれ同様の電流値を有し、対応して導通する前記複数個のＬＥＤライトバーが均等な輝度を生じることを特徴とする請求項１に記載のドライブモジュール。
【請求項３】
前記第１種絶縁変圧ユニットは複数個の第１絶縁変圧回路で構成され、各々の一次巻線は相互に直列にして、各々が対応する二次巻線において同様の電流値を有するそれぞれ対応する前記第１駆動信号を誘導することを特徴とする請求項１に記載のドライブモジュール。
【請求項４】
複数個のＬＥＤライトバーを駆動するためのＬＥＤバックライト光源のドライブモジュールであって、前記ドライブモジュールは、
電源信号を生じる主電源と、
前記主電源と導通して前記電源信号を受信すると共に、第１二次巻線により第１駆動信号を誘導する第１種絶縁変圧ユニットと、
複数個の第２絶縁変圧回路を有し、前記第１種絶縁変圧ユニットの前記第１二次巻線と並列にし、前記第１駆動信号に基づき、前記複数個の第２絶縁変圧回路の各々の二次巻線において、対応する第２駆動信号を生じる第２種絶縁変圧ユニットと、
それぞれ対応する前記第２絶縁変圧回路の前記二次巻線と導通して、対応する前記第２駆動信号を整流してフィルタリングすると共に、各々対応して導通する前記複数個のＬＥＤライトバーの一側に印加する複数個の整流フィルタ回路と、
前記第１種絶縁変圧ユニットの第２二次巻線の負電圧端によってベース電圧信号を誘導すると共に、前記複数個のＬＥＤライトバーの他側と導通して、前記第２駆動信号が前記複数個のＬＥＤライトバーを駆動するベース電圧回路と、
を含むことを特徴とするＬＥＤバックライト光源のドライブモジュール。
【請求項５】
前記複数個のＬＥＤライトバーは各々導通電圧の誤差値を有し、前記第２駆動信号の電圧は前記導通電圧の誤差値の１．５ないし２．５倍であることを特徴とする請求項４に記載のドライブモジュール。
【請求項６】
前記ベース電圧信号は負電圧レベルを有することを特徴とする請求項４に記載のドライブモジュール。
【請求項７】
複数個のＬＥＤライトバーを駆動するためのＬＥＤバックライト光源のドライブモジュールであって、前記ドライブモジュールは、
電源信号を生じる主電源と、
前記主電源と導通して前記電源信号を受信すると共に、これにより第１駆動信号を出力する第１種絶縁変圧ユニットと、
複数個の第２絶縁変圧回路を有し、該複数個の第２絶縁変圧回路の各々の一次巻線を相互に直列にし、前記第１種絶縁変圧ユニットの第１二次巻線と並列にすると共に、前記第１駆動信号に基づき、前記複数個の第２絶縁変圧回路の各々の二次巻線において、対応する第２駆動信号を生じる第２種絶縁変圧ユニットと、
それぞれ対応する前記第２絶縁変圧回路の前記二次巻線と導通して、対応する前記第２駆動信号を整流してフィルタリングすると共に、各々対応して導通する前記複数個のＬＥＤライトバーの一側に印加する複数個の整流フィルタ回路と、
前記第１種絶縁変圧ユニットの第２二次巻線の負電圧端によってベース電圧信号を誘導すると共に、前記複数個のＬＥＤライトバーの他側と導通して、前記第２駆動信号が前記複数個のＬＥＤライトバーを駆動するベース電圧回路と、
を含むことを特徴とするＬＥＤバックライト光源のドライブモジュール。
【請求項８】
前記複数個の第２駆動信号は、それぞれ同様の電流値を有し、前記複数個のＬＥＤライトバーが均等な輝度を生じることを特徴とする請求項７に記載のドライブモジュール。
【請求項９】
前記第１種絶縁変圧ユニットは複数個の第１絶縁変圧回路で構成され、各々の一次巻線は相互に直列にして、各々が対応する前記第１二次巻線において同様の電流値を有するそれぞれに対応する前記第１駆動信号を誘導することを特徴とする請求項７に記載のドライブモジュール。
【請求項１０】
前記複数個のＬＥＤライトバーは各々導通電圧の誤差値を有し、前記第２駆動信号の電圧は前記導通電圧の誤差値の１．５ないし２．５倍であることを特徴とする請求項７に記載のドライブモジュール。
【請求項１１】
前記ベース電圧信号は負電圧レベルを有することを特徴とする請求項７に記載のドライブモジュール。
【手続補正２】
【補正対象書類名】明細書
【補正対象項目名】００１４
【補正方法】変更
【補正の内容】
【００１４】
本考案によれば、複数個のＬＥＤライトバーを駆動することができ、前記ドライブモジュールは、電源信号を生じる主電源と、前記主電源と導通して前記電源信号を受信すると共に、第１二次巻線により第１駆動信号を誘導する第１種絶縁変圧ユニットと、複数個の第２絶縁変圧回路を有し、前記第１種絶縁変圧ユニットの前記第１二次巻線と並列にして、前記第１駆動信号に基づき前記複数個の第２絶縁変圧回路の各々の二次巻線において、対応する第２駆動信号を生じる第２種絶縁変圧ユニットと、それぞれ対応する前記第２絶縁変圧回路の前記二次巻線と導通して、対応する前記第２駆動信号を整流してフィルタリングすると共に、各々対応して導通する前記複数個のＬＥＤライトバーの一側に印加する複数個の整流フィルタ回路と、前記第１種絶縁変圧ユニットの第２二次巻線の負電圧端によってベース電圧信号を誘導すると共に、前記複数個のＬＥＤライトバーの他側と導通して、前記第２駆動信号が前記複数個のＬＥＤライトバーを駆動するベース電圧回路とを含むことを特徴とするＬＥＤバックライト光源のドライブモジュールが提供される。